(57)【要約】      （修正有）【課題】自動車の室内灯のハウジング内に対設される電極に対して、広狭自在に対応できる光源装置を提供する。【解決手段】一対の電極６に挟持される口金４を両端に設けた所要長で透光性のバルブケース１と、バルブケース１の内部に収納され、一端をそれぞれ口金４に接続し、各他端の接続端子に光源が接続されるリード５とから成る光源装置において、バルブケース１が、両口金４の中心を結ぶ軸心方向に伸縮位置決め機構Ｍを介して伸縮自在に分割接合される。このほか、要件に加えて光源がバルブケース１の外部に直接配設されるものから、バルブケース１の外部に延出されるリード５の接続端子に接続されるコネクタを介して外部に配設されるものも提供される。【選択図】図１
0003135700.tif 000002
【実用新案登録請求の範囲】
【請求項１】
自動車の室内灯のハウジングに内設される一対の電極に挟持される口金を両端に設けた所要長で透光性のバルブケースと、該バルブケースの内部に収納され、一端をそれぞれ前記口金に接続し、各他端の接続端子に光源が接続されるリードとから成る光源装置において、
前記バルブケースが、両口金の中心を結ぶ軸心方向に伸縮位置決め機構を介して伸縮自在に分割接合されて成る光源装置。
【請求項２】
前記光源が、バルブケースの外部に配設されて成る請求項１記載の光源装置。
【請求項３】
前記光源が、バルブケースの外部に延出されるリードの接続端子に接続されるコネクタを介して外部に配設されて成る請求項２記載の光源装置。
【考案の詳細な説明】
【技術分野】
【０００１】  本考案は、自動車の乗客または車室を照明する室内灯として使用される光源装置に関する。
【背景技術】
【０００２】  従来から提供されている自動車用ルームランプとしての先行技術は、実開昭６３−８９３５７号公報（特許文献１）や、実開平１−１２０４４７号公報（特許文献２）に提案されている。
しかしながら、これらの先行技術は、電極間への対応が一定であり、電極の配設間隔が異なるものには対応できない欠点があった。
【特許文献１】  実開昭６３−８９３５７号公報
【特許文献２】  実開平１−１２０４４７号公報
【考案の開示】
【考案が解決しようとする課題】
【０００３】  本考案は上記実情に鑑みて、自動車の室内灯のハウジング内に対設される電極に、広挟自在に対応できる光源装置を提供するものである。
【課題を解決するための手段】
【０００４】  本考案の請求項１に記載した光源装置は、自動車の室内灯のハウジングに内設される一対の電極に挟持される口金を両端に設けた所要長で透光性のバルブケースと、該バルブケースの内部に収納され、一端をそれぞれ前記口金に接続し、各他端の接続端子に光源が接続されるリードとから成る光源装置において、
前記バルブケースが、両口金の中心を結ぶ軸心方向に伸縮位置決め機構を介して伸縮自在に分割接合されて成る。
また、請求項２に記載した光源装置は、請求項１に記載した光源装置において、前記光源が、バルブケースの外部に配設されて成る。
さらに、請求項３に記載した光源装置は、請求項２に記載した光源装置において、前記光源が、バルブケースの外部に延出されるリードの接続端子に接続されるコネクタを介して外部に配設されて成る。
【考案の効果】
【０００５】  以上のように、本考案の光源装置によれば、バルブケースが伸縮自在であるから、両端に配設される口金が広狭に対設される電極に対応できるから、量産化できる点で実用上極めて有益である。その上、バルブケースにおける光源が内外に配設される点で、既設の室内灯の照明能力の変更にも簡単に対応でき、自動車の室内灯の製造分野を活性化できる効果がある。
【考案を実施するための最良の形態】
【０００６】  本考案の光源装置における伸縮位置決め機構としては、バルブケースをケース本体と摺動体とに分割した上で、ケース本体の外周で両口金の中心を結ぶ軸心方向に形成される案内溝と、該案内溝の所要位置でこれと直交する方向に連通して設けられる回転案内溝と、ケース本体に外嵌する摺動体の内面に垂下されてこれらに嵌合する舌片とを基本とし、これに回転案内溝の終端で、前記案内溝と平行に設けられ、舌片を押し込んで口金の回転防止を図る押し込み溝を付加した嵌合案内手段が提供される。このほか、バルブケースのケース本体の外周に螺設される雄ネジと、摺動体の内面に形成される雌ネジと、ケース本体の雄ネジに螺合する位置決めナットとから成る螺合案内手段も提供される。なお、嵌合案内手段では、ケース本体に対して摺動体を内嵌したり、摺動体の内外に案内溝から押し込み溝に至る溝を形成し、ケース本体の内外に摺動体の溝形成に対応して舌片を形成することもできるのである。さらに、螺合案内手段においてもケース本体の内面に雌ネジを形成し、摺動体の外周に雄ネジを螺設するとともに、該雄ネジに位置決めナットを螺合するなどでも提供され得る。さらに、ケース本体と摺動体との関係においては、ケース本体の何れか一方で摺動体を分割接合するものから、ケース本体を挟んで左右に摺動体を分割接合するなどでも提供される。
【実施例】
【０００７】  本考案の光源装置Ａについて実施例に基づき説明すると、図１（ａ）に示すように、バルブケース１はケース本体２とその左方でこれに外嵌する摺動体３とに分割され、該ケース本体２の内部空間２ａには、光源としての高輝度のＬＥＤ（発光ダイオード）２ｂが収蔵され、摺動体３の左端とケース本体２の右端には先端に円錐形の電極部を有する口金４がそれぞれ外嵌接合されるが、各口金４には内部空間に収納されるリード５の一端がそれぞれ接続され、その各他端はＬＥＤ２ｂに接続される。ケース本体２は長手方向の中央部から左半分の小円筒部２ｃが右半分の円筒部の直径より所要径縮径された形状であり、摺動体３はその外径が右半分の円筒部と同径に形成されて小円筒部２ｃに外嵌されるとともに、小円筒部２ｃの対向周面には両口金４の中心を結ぶ軸心方向に沿う案内溝２ｄと、該案内溝２ｄに直交する方向で外周面の基準点Ｏと該基準点Ｏと所要寸法（ストロークＳ）隔てた伸長点Ｐにおいて、それぞれ前記案内溝２ｄに相反する向きで連通する回転案内溝２ｅとが凹設され、この案内溝２ｄに案内され、回転案内溝２ｅに位置決めされて所要位置に口金４を支持する舌片３ａは外周に口金４が外嵌接合された摺動体３の内周面の対向する二箇所に垂下されて成る。
したがって、伸縮位置決め機構Ｍとは、小円筒部２ｃの対向周面に凹設される案内溝２ｄと、該案内溝２ｄの二点で相反する向きに連通する回転案内溝２ｅと、小円筒部２ｃに外嵌される摺動体３の内周で対向する二箇所で前記案内溝２ｄと回転案内溝２ｅに嵌入すべく垂下される舌片３ａとから成る。
このほか、図１（ｂ）に示すように、小円筒部２ｃには前記案内溝２ｄと回転案内溝２ｅに加えて、該回転案内溝２ｅの終端で案内溝２ｄと平行に僅かに凹設される凹設端２ｆをそれぞれ基準点Ｏと伸長点Ｐ（基準点ＯからのストロークをＳとする。）とする押し込み溝２ｇが凹設されるものでも提供される。
したがって、この場合には伸縮端で舌片３ａが押し込み溝２ｇに嵌合しているから、振動などによる回転方向への緩みがなく、しっかりと位置決めされる。
さらに、図１（ｃ）に示した伸縮位置決め機構Ｍを説明すると、小円筒部２ｃの外周には雄ネジ２ｈが螺設されるとともに、位置決めナット２ｉが螺合され、摺動体３の内周には雄ネジ２ｈに螺合する雌ネジが螺設されて成る。
したがって、この伸縮位置決め機構Ｍによれば、口金４の伸縮位置決めがきめ細かになされるから、室内灯のハウジングに対向配設される電極６の配設間隔に広範な自由度で対応できることと成る。【０００８】  次に、図２に示した光源装置Ｂについて説明すると、バルブケース１は分図（ａ）、（ｂ）に示すように、ケース本体２とその左右に張り出した各小円筒部２ｃに摺動自在に外嵌する摺動体３とから成り、ケース本体２は直方体状のボックス２ｊとその左右の小円筒部２ｃを含んで厚さ方向で二つ割に接合されるもので、その内部空間２ａには外部に照明部を突出した６個のＬＥＤ２ｂの基部が収蔵されるとともに、各ＬＥＤ２ｂのアノード側同士の＋端子とカソード側同士の−端子を接続したリード５がそれぞれ各口金４の内面頂部に接続される。そして、伸縮位置決め機構Ｍは前記と同様に分図（ｃ）に示すように、小円筒部２ｃの対向周面に凹設される案内溝２ｄと該案内溝２ｄの二点で相反する向きに連通する回転案内溝２ｅと、摺動体３の内周で対向する二箇所に垂下される舌片３ａとから成る。【０００９】  さらに、図３に示した光源装置Ｃの要部について説明すると、このものは、分図（ａ）、（ｂ）に示すように、バルブケース１がケース本体２と、その左方の小円筒部２ｃに摺動自在に外嵌する摺動体３とから成り、その内部空間２ａで一端をそれぞれ各口金４の内面頂部に接続されるリード５の他端がケース本体２の外部に延出されて、その接続端子にコネクタ７が接続されて成り、その伸縮位置決め機構Ｍも前記と同様で分図（ｃ）に示すように、ケース本体２の小円筒部２ｃの対向周面に凹設される案内溝２ｄと、該案内溝２ｄの二点で相反する向きに連通する回転案内溝２ｅと、摺動体３の内周で対向する二箇所に垂下される舌片３ａとから成る。【００１０】  本考案の光源装置Ｃは、図４に示すように、コネクタ７を介して、偏平状の基盤８に６個のＬＥＤ９を配設した光源が、基盤８から延出されたリード１０の先端に接続したコンセント１１で接続される。
このように、本考案の光源装置Ａ乃至Ｃによれば、自動車の室内灯のハウジングに内設される一対の電極６の間隔に広狭自在に対応できるから、量産化され易く、その上種々なる態様で提供できるから、自動車関連の照明業界の活性化にも資する。
【産業上の利用可能性】
【００１１】  本考案の光源装置は、自動車の室内灯のハウジングに配設される一対の電極の配設間隔に広範な自由度を有して対応できるから、自動車製造業界及びその関連業界は言うに及ばず、自動車使用者においても、既設の室内灯に外付けされてその照明能力を増強できるなど、その効果は多大である。
【図面の簡単な説明】
【００１２】
【図１】本考案の光源装置Ａの説明図で、（ａ）は摺動体３を伸長した状態の光源装置Ａの正面図、（ｂ）は光源装置Ａの伸縮位置決め機構Ｍの嵌合案内手段に押し込み溝２ｇを設けた説明図、（ｃ）は光源装置Ａの伸縮位置決め機構Ｍに螺合案内手段を用いた正面図。
【図２】本考案の光源装置Ｂの説明図で、（ａ）は光源装置Ｂの左右の摺動体３を伸長した状態の平面図、（ｂ）はその正面図、（ｃ）は（ａ）のＡ−Ａ矢視拡大断面図。
【図３】本考案の光源装置Ｃの要部の説明図で、（ａ）は摺動体３を縮めた状態の正面図、（ｂ）は摺動体３を伸長した状態の正面図、（ｃ）は（ｂ）のＢ−Ｂ矢視拡大断面図。
【図４】本考案の光源装置Ｃの正面図。
【符号の説明】
【００１３】１  バルブケース
２  ケース本体
２ａ  内部空間
２ｂ  ＬＥＤ
２ｃ  小円筒部
２ｄ  案内溝
２ｅ  回転案内溝
２ｆ  凹設端
２ｇ  押し込み溝
２ｈ  雄ネジ
２ｉ  位置決めナット
２ｊ  ボックス
３  摺動体
３ａ  舌片
４  口金
５  リード
６  電極
７  コネクタ
８  基盤
９  ＬＥＤ
１０  リード
１１  コンセント
Ｍ  伸縮位置決め機構
Ｏ  基準点
Ｐ  伸長点
ｓ  ストローク
Ａ乃至Ｃ  光源装置
【図１】
0003135700.tif 000003
【図２】
0003135700.tif 000004
【図３】
0003135700.tif 000005
【図４】
0003135700.tif 000006